(57)【要約】【課題】      枠体の頂板の各透孔により筒体を嵌挿して、枠体の底板の凹入部に筒体の底部を落し込んで筒体を起立させる形成のスタンドにあっては、筒体の位置が決定され、変化に富んだスタンドにならない。【解決手段】  両端間に上下面が開放した複数の並列貫通孔１を有する第１ブロック２と、両端間に上面が開放する複数の並列凹入孔３を有する第２ブロック４とからなり、上記貫通孔から凹入孔に有底状の筒体を嵌挿して、筒体の保持位置を自由に変更させて変化に富んだブロックスタンドになるようにする。【選択図】    図５
2006230744.tif 000002
【特許請求の範囲】
【請求項１】
両端間に上下面が開放した複数の並列貫通孔を有する第１ブロックと、両端間に上面が開放する複数の並列凹入孔を有する第２ブロックとからなり、上記貫通孔から凹入孔に有底状の筒体を嵌挿したことを特徴とするブロックスタンド。
【請求項２】
両端間に上下面が開放した複数の並列貫通孔を有する第１ブロックと、両端間に上面が開放する複数の並列凹入孔を有する第２ブロックと、上面が開放した１つの凹入孔を有する第３ブロックとからなり、上記の貫通孔から凹入孔に有底状の筒体を嵌挿したことを特徴とするブロックスタンド。
【請求項３】
両端間に上下面が開放した複数の貫通孔を有する第１ブロックと、両端間に上面が開放する複数の並列凹入孔を有する第２ブロックと、上面が開放した１つの凹入孔を有する第３ブロックと、上下面が開放する１つの貫通孔を有する第４ブロックとからなり、上記の貫通孔から凹入孔に有底状の筒体を嵌挿したことを特徴とするブロックスタンド。
【請求項４】
上記の有底状の筒体が、透明であることを特徴とする請求項１、２又は３に記載のブロックスタンド。
【発明の詳細な説明】
【技術分野】
【０００１】
この発明は、一輪挿しとして用いるブロックスタンドに関する。
【背景技術】
【０００２】
一輪差しは、周知のようにガラス製や陶器製が主流で、上記以外に竹製などもある。
【０００３】
しかしながら、安定性を損なわない目的で胴部（直径）を大きくするので、一輪差しであっても大型化する問題があった。
【０００４】
また、大型化にともない卓上に置くと邪魔になって使用されない問題も発生した。
【０００５】
そこで、図８に示すように、上下で対向する頂板３１及び底板３２と、左右で対向して上下端を頂板３１及び底板３２の端に連結（この連結は、接着材や釘止めなどによる）した側板３３とで枠体３４を形成する。
【０００６】
そして、頂板３１には、貫通する複数の透孔３５が、底板３２の上面で、透孔３５に対向する位置には、凹入部３６が設けてあり、ガラス製や合成樹脂製などの有底状の筒体３７を透孔３５に貫通させながら、凹入部３６に筒体３７の底部を落し込んで、筒体３７の安定をはかる。
【０００７】
なお、筒体３７は、水を入れ、草花３８を挿入する。
【発明の開示】
【発明が解決しようとする課題】
【０００８】
ところで、上記のような構造によると、枠体により（透孔と凹入部とで）筒体を安定よく保持することができる。
【０００９】
しかしながら、一定の線上に筒体を並べて保持するため、筒体の位置が決定され、変化に富んだ位置での保持ができない問題があった。
【００１０】
そこで、この発明の課題は、筒体の保持位置や保持数を自由に変更できるようにする。
【課題を解決するための手段】
【００１１】
上記の課題を解決するために、この発明は、両端間に上下面が開放した複数の並列貫通孔を有する第１ブロックと、両端間に上面が開放する複数の並列凹入孔を有する第２ブロックとからなり、上記貫通孔から凹入孔に有底状の筒体を嵌挿した構成を採用する。
【００１２】
また、両端間に上下面が開放した複数の並列貫通孔を有する第１ブロックと、両端間に上面が開放する複数の並列凹入孔を有する第２ブロックと、上面が開放した１つの凹入孔を有する第３ブロックとからなり、上記の貫通孔から凹入孔に有底状の筒体を嵌挿した構成を採用する。
【００１３】
さらに、両端間に上下面が開放した複数の貫通孔を有する第１ブロックと、両端間に上面が開放する複数の並列凹入孔を有する第２ブロックと、上面が開放した１つの凹入孔を有する第３ブロックと、上下面が開放する１つの貫通孔を有する第４ブロックとからなり、上記の貫通孔から凹入孔に有底状の筒体を嵌挿した構成を採用する。
【００１４】
すると、使用する所要本数の第１、第２ブロックが所要の方向に向くように自由に（無限に拡張させて）方向を変更し、又数を増減して、筒体の位置に変更をもたせることができる。
【００１５】
また、第４ブロックの使用によって第１ブロックの段数を多くすることができる。
【００１６】
さらに、透明な筒体の使用によって水の残量を知ることもできる。
【発明の効果】
【００１７】
以上のように、この発明のブロックスタンドによれば、第２ブロックの上に第１ブロックを積み重ね、或いは第２及び第３ブロックの上に第１ブロックを積み重ねると共に、合致した貫通孔から凹入孔に嵌挿することで第２ブロックに対し第１ブロックを、或いは第２及び第３ブロックに第１ブロックを連結して各ブロックの安定した連結を筒体を介し行なうことができると共に、筒体を中心にして第２、第１ブロックを回動して筒体の配置位置を変更して変化に富んだ、或いは継ぎ足しによる無限の拡張したブロックスタンドにすることができる。
【００１８】
そして、第２及び第３ブロックによって凹入孔の底で筒体の下端を受け止めるので、ブロックスタンドを持ち上げても筒体の落下がない。
【００１９】
また、第４ブロックの使用によって第１ブロックの積み重ね段数を多くして変化に富んだブロックスタンドにすることもできると共に、第１、第２、第３及び第４ブロックの数を自由に増減することもできる。
【００２０】
さらに、透明な筒体の使用によって水の量を一目で知ることができて、草花が枯れるのを防止する効果もある。
【発明を実施するための最良の形態】
【００２１】
この発明の実施の形態を添付図面に基づいて説明する。
【００２２】
この発明の第１の実施形態では、図１に示すように、両端間に上下面が開放した複数の並列貫通孔１を有する第１ブロック２と、図２に示すように両端間に上面が開放した複数の並列する凹入孔３を有する第２ブロック４を形成する。
【００２３】
上記貫通孔１及び凹入孔３は、図示の場合第１ブロック２や第２ブロック４の両端間の三等分位置に配置したが、数や配置間隔は、適宜決定すればよい。
【００２４】
そして、第１ブロック２及び第２ブロック４も、木材、合成樹脂、陶器製など適宜の材質で製作する。
【００２５】
上記のように構成すると、図５に示すように、下側に少なくとも二本の第２ブロック４、４を並べて、第２ブロック４、４の上に第１ブロック２を積み重ねたのち、有底状の筒体Ａを貫通孔１から凹入孔３に嵌挿して、第２ブロック４上に第１ブロック２を連結する。
【００２６】
上記貫通孔１及び凹入孔３に対する筒体Ａの嵌挿位置は、所定の位置に適宜決定すればよい。
【００２７】
上記筒体Ａには、水を注入し、草花ａを挿入する。
【００２８】
また、筒体Ａの挿入位置も、合致（上下で）した貫通孔１から凹入孔３に限定されず、第２ブロック４の凹入孔３に挿入することもある。
【００２９】
すると、挿入した筒体Ａにより第１ブロック２に連結された第２ブロック４を回動させて、第２ブロック４の方向に自由に変更して、変化に富んだ配列にすることができる。
【００３０】
そして、第２ブロック４と共に第１ブロック２を持ち上げても、筒体Ａの下端を凹入孔３で受け止めるので、筒体Ａの落下がない。
【００３１】
この発明の第２の実施形態では、第１の実施形態の第１ブロック２及び第２ブロック４と、図４に示すように、上面が開放する１つの凹入孔５を有する第３ブロック６とを使用する。
【００３２】
上記の第３ブロック６の材質は、第１の実施形態の第１ブロック２及び第２ブロック４と同様につき説明を省略する。そして、第３ブロック６及び第４ブロック８の形状も図示の平面四角形以外に例えば、三角形や丸形などであってもよい。
【００３３】
すると、図６に示すように、下段に第２ブロック４及び第３ブロック６の上に上段に第１ブロック２を積み重ねて使用すると共に、合致した貫通孔１から凹入孔３、５に筒体Ａを嵌挿して、第１ブロック２に対して第２ブロック４及び第３ブロック６を連結する。
【００３４】
この連結の状況下に第１ブロック２に対して第２ブロック４を、また第３ブロック６に対して第１ブロック２を回動させて所望位置に止めることにより筒体Ａの位置を変更することができる。
【００３５】
また、筒体Ａの挿入位置は、空の凹入孔３にも挿入することがある。
【００３６】
すると、第１の実施形態と同様の効果がある。
【００３７】
この発明の第３の実施形態では、第１の実施形態の第１ブロック２及び第２ブロック４と、図３に示すように上下面が開放する１つの貫通孔７を有する第４ブロック８とを使用する。
【００３８】
上記の第４ブロック８の材質は、第１の実施形態の第１ブロック２及び第２ブロック４と同様につき説明を省略する。
【００３９】
すると、図７に示すように、下段に２本の第２ブロック４を使用し、この各第２ブロック４の上に第４ブロック８を、両第４ブロック８、８の上に第１ブロック２を積み重ねたのち、合致する貫通孔１、７に筒体Ａを嵌挿して、筒体Ａの下端側を凹入孔３に落し込んで、第２ブロック４、第４ブロック８、第１ブロック２を結合する。
【００４０】
この結合の状況下に第２ブロック４の向きを筒体Ａを支点として自由に変更することができると共に、第４ブロック８、第１ブロック２の積み重ねによって変化をもたせることもできる。
【００４１】
勿論、嵌挿した筒体Ａは、凹入孔３により受架されて、全体のブロックを持ち上げても落下しない。
【００４２】
上記の筒体Ａとしては、ガラス製や合成樹脂製などが用いられ、透明な材料で筒体Ａを形成することによって、水の量が一目でわかって挿入した草花ａが枯れるのを防止することができる。
【００４３】
なお、下段に第３ブロック６を、その上方に複数の第４ブロック８を積み重ねて使用することもできる。
【図面の簡単な説明】
【００４４】
【図１】第１ブロックを示す斜視図
【図２】第２ブロックを示す斜視図
【図３】第４ブロックを示す斜視図
【図４】第３ブロックを示す斜視図
【図５】第１の実施形態を示す斜視図
【図６】第２の実施形態を示す斜視図
【図７】第３の実施形態を示す斜視図
【図８】従来品の斜視図
【符号の説明】
【００４５】
１、７      貫通孔
２          第１ブロック
３、５      凹入孔
４          第２ブロック
６          第３ブロック
８          第４ブロック
【図１】
2006230744.tif 000003
【図２】
2006230744.tif 000004
【図３】
2006230744.tif 000005
【図４】
2006230744.tif 000006
【図５】
2006230744.tif 000007
【図６】
2006230744.tif 000008
【図７】
2006230744.tif 000009
【図８】
2006230744.tif 000010